(57)【要約】      （修正有）【課題】従来のものと同じように厚紙製の台紙を用いても、卓上に置いての使用時に不注意落下や加えられた外力によって、分解してしまったり、変形してしまったりする心配のない卓上スタンドから成り、壁や机から吊り下げてカレンダーやその他の表示手段としても用いることのできる宣伝用品を提供する。【解決手段】厚紙から成る台紙を、頂部から折り曲げた表面部３と裏面部４、及びこの表面部と裏面部のいずれか一方の開放下端部側から折り曲げられて前記表面部と裏面部のいずれか他方の下端部にその先端に設けた貼着部１２を貼着させた連結部とから構成することによって、組立時に前記台紙が全体として側面略二等辺三角形状を呈するように成すと共に、前記表面部をカレンダー６もしくは写真表示部、広告宣伝欄等として用いることができるように構成する。【選択図】図４
2005208210.tif 000002
【特許請求の範囲】
【請求項１】
厚紙から成る台紙を、頂部から折り曲げた表面部と裏面部、及びこの表面部と裏面部のいずれか一方の開放下端部側から折り曲げられて前記表面部と裏面部のいずれか他方の下端部にその先端に設けた貼着部を貼着させた連結部とから構成することによって、組立時に前記台紙が全体として側面略二等辺三角形状を呈するように成すと共に、前記表面部をカレンダー、写真表示部、或は広告宣伝欄等として用いることができるように成したことを特徴とする、宣伝用品。
【請求項２】
前記連結部は、その略中央部で折り曲げ可能に構成したことを特徴とする、請求項１に記載の宣伝用品。
【請求項３】
前記表面部と裏面部の双方或はいずれか一方の両側部に飾り部を設けたことを特徴とする、請求項１乃至２のいずれかに記載の宣伝用品。
【請求項４】
前記裏面部には、前記表面部と略同じスペースの表示部を設けることができるように構成したことを特徴とする、請求項１乃至３のいずれかに記載の宣伝用品。
【請求項５】
前記表面部の頂部或は前記裏面部の頂部より切り起こした切起片に下げ紐を取り付けると共に、前記連結部には当該連結部を折り畳んだ状態で貼着する貼着部を設けたことを特徴とする、請求項１乃至４のいずれかに記載の宣伝用品。
【発明の詳細な説明】
【技術分野】
【０００１】
この発明は、卓上に置いたり、壁や机等より吊り下げたりして、カレンダーや写真立て、或は広告媒体等として使用できる厚紙製の宣伝用品に関する。
【背景技術】
【０００２】
従来、例えば店舗或は信用金庫や銀行等において、販売促進用品や顧客獲得用品等の宣伝用品として用いられるものに、以下の特許文献に示されたような厚紙で作った卓上スタンドが公知である。
【０００３】
【特許文献１】特開２０００−２５５１９７号公開特許公報
【０００４】
【特許文献２】特開２００１−１６２９７２号公開特許公報
【特許文献３】特開２００３−１１５４６号公開特許公報  これらの特許文献に記載されたものは、一枚の厚紙製の台紙を用い、いずれもカレンダーや広告内容を表示する矩形状の表面部と、この表面部を支える支持部と、この支持部と表面部を連結する連結部とから成り、支持部或は連結部の先端を表面部や支持部に設けた係止部へ係止させて組み立てる構成のものであり、表面部の両側縁部はいずれもストレートであって、何の飾りもつけられていないものであった。
【０００５】
また、支持部は単に表面部を支えるもので、表面部に較べて小さく、そこに、何らのまとまった印刷も施されてはいなかった。
【発明の開示】
【発明が解決しようとする課題】
【０００６】
上述した従来技術のもののように、支持部や連結部の先端を表面部や支持部に設けた係止部に係止させるものは使用時に組み立てれば良いので、搬送、梱包時に嵩張らないという利点を有するが、組み立てた後においては華奢であり、落としたり、外力を加えると容易に分解或は変形してしまうという問題がある上に、支持部に相当する部分は、表面部に較べて小さく、何らの印刷も施されていず、表示部として使用されていないので、有効活用がなされていないという問題があった。
【０００７】
また、従来のものは、表面部の両側はストレートで直線となっており、何らの装飾も施されていず、この面でも見る人にインパクトを与える有効活用ができていないという問題があった。
【０００８】
この発明の目的は、従来のものと同じように厚紙製の台紙を用いても、卓上に置いての使用時に不注意落下や加えられた外力によって、分解してしまったり、変形してしまったりする心配のない卓上スタンドから成る宣伝用品を提供せんとするにある。
【０００９】
この発明の次の目的は、とくに表面部の両側部に飾り部を設け、一層の装飾性の向上を図った安価な宣伝用品を提供せんとするにある。
【００１０】
この発明のさらに次の目的は、従来支持部としていた部分を裏面部として、そこに表示部を設けてその活用を図った宣伝用品を提供せんとするにある。
【００１１】
この発明のさらに次の目的は、壁や机から吊り下げてカレンダーやその他の表示手段として用いることのできる宣伝用品を提供せんとするにある。
【課題を解決するための手段】
【００１２】
上述した目的を達成するためにこの発明は、厚紙から成る台紙を、頂部から折り曲げた表面部と裏面部、及びこの表面部と裏面部のいずれか一方の開放下端部側から折り曲げられて前記表面部と裏面部のいずれか他方の下端部にその先端に設けた貼着部を貼着させた連結部とから構成することによって、組立時に前記台紙が全体として側面略二等辺三角形状を呈するように成すと共に、前記表面部をカレンダー、写真表示部、或は広告宣伝欄等として用いることができるように成したことを特徴とする。
【００１３】
その際にこの発明は、前記連結部を、その略中央部で折り曲げ可能に構成することを特徴とする。
【００１４】
この発明はさらに、前記表面部と裏面部の双方或はいずれか一方の両側部に飾り部を設けることを特徴とする。
【００１５】
この発明はさらに、前記裏面部に前記表面部と略同じスペースの表示部を設けることができるように構成したことを特徴とする。
【００１６】
そして、この発明は、前記表面部の頂部或は裏面部の頂部より切り起こした切起片に下げ紐を取り付けると共に、前記連結部に当該連結部を折り畳んだ状態で貼着する貼着部を設けたものである。
【発明の効果】
【００１７】
請求項１のように構成すると、宣伝用品を卓上スタンドとして組み立てた際に、連結部が表面部と裏面部の双方に固着されているので、組み立て後に、卓上スタンドに外力が加えられたり、卓上から落下した際に、分解したり、変形してしまう心配がない。
【００１８】
請求項２のように構成すると、折り畳んだ状態で連結部を表面部と裏面部の間に挟むことができるので、嵩張らないという効果を奏し得る。
【００１９】
請求項３のように構成すると、飾り部によってより装飾性を増し、見る人の目を楽しませることができる。
【００２０】
請求項４のように構成すると、裏面部にもさまざまな種類の表示部を設けることができる。
【００２１】
請求項５のように構成すると、連結部を折り畳んだ状態で貼着することにより、表面部と裏面部が重なり合った状態を維持でき、下げ紐で宣伝用品を壁より吊り下げておくことができるものである。
【発明を実施するための最良の形態】
【００２２】
以下にこの発明の一実施例を図面に基づいて説明する。
【実施例１】
【００２３】
図１乃至図６はこの発明に係る宣伝用品を卓上スタンドとする場合の実施例を示し、図１は台紙の部分の展開平面図である。図２はカレンダーの部分の斜視図である。図３は台紙を組み立ててカレンダーを取り付けて見た組立前の斜視図である。図４は使用状態に組み立てて表側から見た斜視図である。図５は図４の状態を裏面から見た斜視図である。図６は図４と図５の状態における側面図である。
【００２４】
図面において、指示記号１のものは、厚紙製の台紙である。とくに図１に示したように、展開状態において、略中央部の折曲線によって区分された一方の指示記号３で示したものは表面部であり、他方の指示記号４で示したものは裏面部である。表面部３と裏面部４の各両側部には、丸のこの一部を表したように外側にふくらむギザギザ部から成る飾り部５が設けられている。尚、この飾り部５は実施例のものに限定されず、その他のさまざまな形状のものが考えられる。また、この飾り部５は表面部或は裏面部の側にのみ設けられても良い。
【００２５】
表面部３にはその全面が表側表示欄３ａとなっている。この表側表示欄３ａに図２に示した月変わりのカレンダー６を取り付けても良いし、１年を通じたカレンダーを印刷しても良い。さらに、人物、人形、風景等の写真を印刷したり、或は人物、人形、風景等の印刷物を別体のものを取り付けて写真表示部として用いても良いし、広告文、宣伝文を記載して広告宣伝欄として用いても良い。実施例のものは、図２に示したカレンダー６を取り付け、卓上カレンダーとして用いる構成となっており、下側に宣伝用品としての卓上カレンダーの提供主の住所、名称、電話番号、ＦＡＸ番号等の記載欄が設けられている。
【００２６】
裏面部４は、表面部３と同大かつ同形状で裏側表示欄４ａが設けられており、実施例のものはこの裏側表示欄４ａに充分に図示してないが、年令早見表８を印刷してある。勿論、この裏面表示欄４ａに表示するものはこの年令早見表に限定されない。例えば度量計表とか、郵送料金表とか、金利表とか、さまざまな内容のものを表示でき、この裏面部４の活用が図られている。
【００２７】
次に、略中央部の折曲線２より裏面部４に向けて切込み２ａを設けることにより、切起片９が設けられ、実施例のものはこの切起片９に年号が印刷されている。勿論、この切起片９に印刷するのもは年号に限定されない。
【００２８】
表面部３の下側開放端側からは折曲線１０を介して連結部１１が設けられており、この連結部１１にはその端部にさらに貼着部１２を折り曲げる折曲線１３が設けられると共に、折曲線１０と折曲線１３との間に中折曲線１４が設けられている。尚、この連結部１１は裏面部の方から設けても良い。その場合は貼着部は表面部の方に貼着されることになる。
【００２９】
したがって、図１に示したように、表面部３の表側表示欄３ａに図２に示したカレンダー６を取り付け、連結部１１の貼着部１２を裏面部４の内側に貼着し、中折曲線１４より連結部１１を内側へ折り畳むと、連結部１１が表面部３と裏面部４との間に挟まれ、図３に示したように、使用前の嵩張らない宣伝用品１５としての卓上スタンドが完成する。
【００３０】
本願発明に係る宣伝用品１５を入手した使用者は、連結部１１の中折曲線１４の部分を下押しすると、表面部３と裏面部４の下端部が開いて、簡単に組立てが完了し、図４乃至図６に示したように、全体で側面略二等辺三角形状を呈した卓上スタンドとなるものである。
【００３１】
そこで、この宣伝用品１５を卓上に置いて、卓上カレンダーとして用いたり、表面部３に人形、人物、風景等の写真や印刷物を取り付け或は表示した場合は、写真表示部を有する卓上スタンドとして用いることができる。さらに、或は表面表示欄３ａに広告文字を表示して広告媒体として用いることもできるものである。その際に表面部３及び又は裏面部４の両側に飾り部５を設けると、装飾効果を高め、見る物の目を惹きつけ楽しませることができる。さらに、裏面部４の裏側表面欄４ａにも年令早見表のような表示部を設けると、この裏面部４の活用もでき、より実用性利便性を高めることができるものである。
【実施例２】
【００３２】
図７乃至図８は、この発明に係る宣伝用品の他の実施例を示す。図面によれば、連結部１１の中折曲線１４で区切られた一方の側の下面には、表面に剥離紙を取り付けた貼着テープから成る貼着部２０が設置されており、裏面部４の頂部より切り起こした切起片９には下げ紐２１が取り付けられている。
【００３３】
尚、貼着部２０は最初から連結部１１に設置しておいても良いし、両面テープを別にオプションとして用意しておいて、必要に応じて連結部１１に貼着させるようにしても良い。また、下げ紐２１の取付個所は、図示の個所に限定されない。要するに表面部３の裏面部４の頂部に取り付ければ良い。そして、この下げ紐も最初より取り付けられていても良く、オプションとして用意し、必要に応じて取り付けて用いても良い。尚、指示記号の同じものは図１乃至図６に示したものと同じ部材を表すので、説明を省略する。
【００３４】
このように構成すると、この宣伝用品１５を卓上に置かない場合には、貼着部２０で連結部１１を折り畳んだ状態で接着して、図８に示したように、表面部３と裏面部４を重ね合わせて固定し、下げ紐で壁や机に取り付けた係止具２２から吊り下げてカレンダーや写真飾りとして用いることができるものである。
【産業上の利用可能性】
【００３５】
以上、詳細に説明したように、この発明に係る宣伝用品は、安価に提供でき、上述したように多用途に渡って使用でき、各種の利便性を有するため、もらった人に喜ばれ、宣伝用品として好適なものである。
【図面の簡単な説明】
【００３６】
【図１】この発明に係る宣伝用品の台紙の展開平面図である。
【図２】カレンダーの斜視図である。
【図３】台紙を組立て、カレンダーをつけた状態でしかも折り畳んだ状態の斜視図である。
【図４】台紙を側面三角形状に開いた状態の斜視図である。
【図５】図４を裏側から見た斜視図である。
【図６】図４の状態の側面図である。
【図７】この発明に係る宣伝用品の他の実施例を説明する側面図である。
【図８】図７に示した宣伝用品の使用例を示す斜視図である。
【符号の説明】
【００３７】
１  台紙
２  折曲線
３  表面部
４  裏面部
５  飾り部
６  カレンダー
８  年令早見表
１０  折曲線
１１  連結部
１２  貼着部
１３  折曲線
１４  中折曲線
１５  宣伝用品
２０  貼着部
２１  下げ紐
【図１】
2005208210.tif 000003
【図２】
2005208210.tif 000004
【図３】
2005208210.tif 000005
【図４】
2005208210.tif 000006
【図５】
2005208210.tif 000007
【図６】
2005208210.tif 000008
【図７】
2005208210.tif 000009
【図８】
2005208210.tif 000010